(57)【要約】【課題】片手操作によりプラグにトリガーレバー付きのソケットを信頼性良く連結する。【解決手段】気体又は液体を通す開閉可能な第１のノズル１２と、ソケット被係止手段とを有するプラグ１０に着脱自在に連結されるトリガーレバー付きのソケット２０Ａであって、ソケット２０Ａは、気体又は液体を通す開閉可能な第２のノズル２３と、プラグ係止手段と、片手で把持できる把持体３６と、片手で２段階操作可能なトリガーレバー３７とを有し、トリガーレバー３７の初期状態でプラグ１０にソケット２０Ａを連結した後に、トリガーレバー３７の１段階目の操作によりソケット２０Ａのプラグ係止手段を作動して、このプラグ係止手段でプラグ１０のソケット被係止手段を係止させ、その後、トリガーレバー３７の２段階目の操作で第１，第２のノズル１２，２３を開くことを特徴とするトリガーレバー付きのソケット２０Ａを提供する。【選択図】図４
2013091505.tif 000002
【特許請求の範囲】
【請求項１】
気体又は液体を通すために円環状の内周部に形成された第１の流通路と、前記第１の流通路内で第１の圧縮バネにより閉じ方向に付勢された状態で収納された開閉可能な第１のノズルと、円環状の外周部の円周方向に沿って周回された第１の凹溝とを有するプラグ本体を備えたプラグに着脱自在に連結される手動型の充填機であって、
前記プラグ本体の外周部の先端側を着脱自在に嵌合するために円環状の内部の先端側に形成された先端側丸孔と、前記先端側丸孔の後方に連接されて前記気体又は液体を通すために形成された第２の流通路と、円環状の先端側外周部と前記先端側丸孔との間で円周方向に沿って複数貫通して設けられ且つ軸方向が長く形成された複数の長孔と、円環状の外周部の後端側に形成された摺動用筒体ストッパ鍔部とを有するソケット本体と、
前記ソケット本体の前記複数の長孔内にそれぞれ１個ずつ遊嵌されて前記先端側丸孔内に一部分が突出可能な複数のボールと、
前記気体又は液体を通すために円環状の内部に形成された第３の流通路と、前記第３の流通路内で第２の圧縮バネにより閉じ方向に付勢された状態で収納された開閉可能な第２のノズルとを有し、且つ、前記ソケット本体の前記第２の流通路内を第３の圧縮バネで後方側に付勢されながら円環状の外周部が該第２の流通路内に沿って移動可能に設けられたノズル収納用筒体と、
前記ソケット本体の外周部に摺動可能に嵌合される丸孔と、前記複数のボールが進退可能に係合するように前記丸孔の内面の円周方向に沿って周回された第２の凹溝とを有する摺動用筒体と、
前記ソケット本体が前記プラグから離間している初期時に、前記複数のボールが前記第２の凹溝内に進入するように前記摺動用筒体を前記ソケット本体の先端部側に付勢する第４の圧縮バネと、
前記ノズル収納用筒体側に一体的に取り付けられて、片手で把持できる把持体と、
前記把持体に取り付けられて、片手で２段階操作可能なトリガーレバーと、
一端が初期状態時の前記摺動用筒体に連結され、且つ、他端が初期状態時の前記トリガーレバーに連結された連結棒と、
前記摺動用筒体に一端が連結され、他端が前記把持体に連結されて、エアー圧又は油圧により前記摺動用筒体に対して該摺動用筒体を前記ソケット本体の後方側に摺動させる方向の力を印加する摺動用筒体駆動手段と、
を備え、
前記トリガーレバーの初期状態で前記プラグ本体の先端側を前記ソケット本体内に挿入して前記複数のボールを前記第１の凹溝内に係合させることで前記プラグに前記ソケットを連結した後に、前記トリガーレバーの１段階目の操作で前記複数のボールが前記第２の凹溝内から離脱するように前記摺動用筒体を前記第４の圧縮バネに抗して前記連結棒の移動によって前記摺動用筒体ストッパ鍔部に向かって摺動させることで前記プラグに前記ソケットを係止させ、且つ、前記トリガーレバーの１段階目の操作後に前記摺動用筒体の移動が前記摺動用筒体ストッパ鍔部で規制されたまま前記トリガーレバーの２段階目の操作で該摺動用筒体に印加された前記摺動用筒体駆動手段からの力の反力により前記ノズル収納用筒体を前記第３の圧縮バネに抗して前記ソケット本体の前記第２の流通路内の先端側に移動させて、前記第２のノズルで前記第１のノズルを押し込むことで、前記第１，第２のノズルを開くように構成されていることを特徴とする手動型の充填機。
【請求項２】
気体又は液体を通すために円環状の内周部に形成された第１の流通路と、前記第１の流通路内で第１の圧縮バネにより閉じ方向に付勢された状態で収納された開閉可能な第１のノズルと、円環状の外周部の円周方向に沿って周回された第１の凹溝とを有するプラグ本体を備えたプラグに着脱自在に連結される手動型の充填機であって、
前記プラグ本体の外周部の先端側を着脱自在に嵌合するために円環状の内部の先端側に形成された先端側丸孔と、前記先端側丸孔の後方に連接されて前記気体又は液体を通すために形成された第２の流通路と、円環状の先端側外周部と前記先端側丸孔との間で円周方向に沿って複数貫通して設けられ且つ軸方向が長く形成された複数の長孔と、円環状の外周部の後端側に形成された摺動用筒体ストッパ鍔部とを有するソケット本体と、
前記ソケット本体の前記複数の長孔内にそれぞれ１個ずつ遊嵌されて前記先端側丸孔内に一部分が突出可能な複数のボールと、
前記気体又は液体を通すために円環状の内部に形成された第３の流通路と、前記第３の流通路内で第２の圧縮バネにより閉じ方向に付勢された状態で収納された開閉可能な第２のノズルとを有し、且つ、前記ソケット本体の前記第２の流通路内を第３の圧縮バネで後方側に付勢されながら円環状の外周部が該第２の流通路内に沿って移動可能に設けられたノズル収納用筒体と、
前記ソケット本体の外周部に摺動可能に嵌合される丸孔と、前記複数のボールが進退可能に係合するように前記丸孔の内面の円周方向に沿って周回された第２の凹溝とを有する摺動用筒体と、
前記ソケット本体が前記プラグから離間している初期時に、前記複数のボールが前記第２の凹溝内に進入するように前記摺動用筒体を前記ソケット本体の先端部側に付勢する第４の圧縮バネと、
前記ノズル収納用筒体側に一体的に取り付けられて、片手で把持できる把持体と、
前記把持体に取り付けられて、片手で２段階操作可能なトリガーレバーと、
一端が初期状態時の前記摺動用筒体に連結され、且つ、他端が初期状態時の前記トリガーレバーに連結された連結棒と、
を備え、
前記トリガーレバーの初期状態で前記プラグ本体の先端側を前記ソケット本体内に挿入して前記複数のボールを前記第１の凹溝内に係合させることで前記プラグに前記ソケットを連結した後に、前記トリガーレバーの１段階目の操作で前記複数のボールが前記第２の凹溝内から離脱するように前記摺動用筒体を前記第４の圧縮バネに抗して前記連結棒の移動によって前記摺動用筒体ストッパ鍔部に向かって摺動させることで前記プラグに前記ソケットを係止させ、且つ、前記トリガーレバーの１段階目の操作後に前記摺動用筒体の移動が前記摺動用筒体ストッパ鍔部で規制されたまま前記トリガーレバーの２段階目の操作で該摺動用筒体に印加された前記連結棒からの力の反力により前記ノズル収納用筒体を前記第３の圧縮バネに抗して前記ソケット本体の前記第２の流通路内の先端側に移動させて、前記第２のノズルで前記第１のノズルを押し込むことで、前記第１，第２のノズルを共に開くように構成されていることを特徴とする手動型の充填機。
【請求項３】
気体又は液体を通すために円環状の内周部に形成された第１の流通路と、前記第１の流通路内で第１の圧縮バネにより閉じ方向に付勢された状態で収納された開閉可能な第１のノズルと、円環状の外周部の円周方向に沿って周回された第１の凹溝とを有するプラグ本体を備えたプラグに着脱自在に連結される手動型の充填機の先頭部品であって、
前記プラグ本体の外周部の先端側を着脱自在に嵌合するために円環状の内部の先端側に形成された先端側丸孔と、前記先端側丸孔の後方に連接されて前記気体又は液体を通すために形成された第２の流通路と、円環状の先端側外周部と前記先端側丸孔との間で円周方向に沿って複数貫通して設けられ且つ軸方向が長く形成された複数の長孔と、円環状の外周部の後端側に形成された摺動用筒体ストッパ鍔部とを有するソケット本体と、
前記ソケット本体の前記複数の長孔内にそれぞれ１個ずつ遊嵌されて前記先端側丸孔内に一部分が突出可能な複数のボールと、
前記気体又は液体を通すために円環状の内部に形成された第３の流通路と、前記第３の流通路内で第２の圧縮バネにより閉じ方向に付勢された状態で収納された開閉可能な第２のノズルとを有し、且つ、前記ソケット本体の前記第２の流通路内を第３の圧縮バネで後方側に付勢されながら円環状の外周部が該第２の流通路内に沿って移動可能に設けられたノズル収納用筒体と、
前記ソケット本体の外周部に摺動可能に嵌合される丸孔と、前記複数のボールが進退可能に係合するように前記丸孔の内面の円周方向に沿って周回された第２の凹溝とを有する摺動用筒体と、
前記ソケット本体が前記プラグから離間している初期時に、前記複数のボールが前記第２の凹溝内に進入するように前記摺動用筒体を前記ソケット本体の先端部側に付勢する第４の圧縮バネと、
前記ソケット本体が前記プラグから離間している初期時に、前記ノズル収納用筒体が前記ソケット本体の第２の流通路内から抜け出ることを防止する抜け防止手段と、
を備えたことを特徴とする手動型の充填機の先頭部品。
【発明の詳細な説明】
【技術分野】
【０００１】
本発明は、手動型の充填機に関する。
【背景技術】
【０００２】
車両（タクシー等）の燃料としてプロパンガスボンベを用いている場合は、ガスの補給のために手動型の充填機を作業員が手にもってプロパンガスボンベ（プラグが横についている）のプラグに手動型の充填機を挿入してガスを補給していた。
【先行技術文献】
【特許文献】
【０００３】
【特許文献１】特開２００１−１９２０９９号公報
【特許文献２】特開２００９−２８１５３９号公報
【特許文献３】特開２００５−１５５８６４号公報
【発明の概要】
【発明が解決しようとする課題】
【０００４】
しかしながら、プロパンガスボンベのプラグに手動型の充填機の先端部分を確実に接続するには容易ではない。
【０００５】
すなわち、プロパンガスボンベのプラグに手動型の充填機の先端部分を容易に接続してガスを容易に充填できる手動型の充填機が望ましい。
【課題を解決するための手段】
【０００６】
本発明は上記課題に鑑みてなされたものであり、
本発明の手動型の充填機は、気体又は液体を通すために円環状の内周部に形成された第１の流通路と、前記第１の流通路内で第１の圧縮バネにより閉じ方向に付勢された状態で収納された開閉可能な第１のノズルと、円環状の外周部の円周方向に沿って周回された第１の凹溝とを有するプラグ本体を備えたプラグに着脱自在に連結される手動型の充填機であって、
前記プラグ本体の外周部の先端側を着脱自在に嵌合するために円環状の内部の先端側に形成された先端側丸孔と、前記先端側丸孔の後方に連接されて前記気体又は液体を通すために形成された第２の流通路と、円環状の先端側外周部と前記先端側丸孔との間で円周方向に沿って複数貫通して設けられ且つ軸方向が長く形成された複数の長孔と、円環状の外周部の後端側に形成された摺動用筒体ストッパ鍔部とを有するソケット本体と、
前記ソケット本体の前記複数の長孔内にそれぞれ１個ずつ遊嵌されて前記先端側丸孔内に一部分が突出可能な複数のボールと、
前記気体又は液体を通すために円環状の内部に形成された第３の流通路と、前記第３の流通路内で第２の圧縮バネにより閉じ方向に付勢された状態で収納された開閉可能な第２のノズルとを有し、且つ、前記ソケット本体の前記第２の流通路内を第３の圧縮バネで後方側に付勢されながら円環状の外周部が該第２の流通路内に沿って移動可能に設けられたノズル収納用筒体と、
前記ソケット本体の外周部に摺動可能に嵌合される丸孔と、前記複数のボールが進退可能に係合するように前記丸孔の内面の円周方向に沿って周回された第２の凹溝とを有する摺動用筒体と、
前記ソケット本体が前記プラグから離間している初期時に、前記複数のボールが前記第２の凹溝内に進入するように前記摺動用筒体を前記ソケット本体の先端部側に付勢する第４の圧縮バネと、
前記ノズル収納用筒体側に一体的に取り付けられて、片手で把持できる把持体と、
前記把持体に取り付けられて、片手で２段階操作可能なトリガーレバーと、
一端が初期状態時の前記摺動用筒体に連結され、且つ、他端が初期状態時の前記トリガーレバーに連結された連結棒と、
前記摺動用筒体に一端が連結され、他端が前記把持体に連結されて、エアー圧又は油圧により前記摺動用筒体に対して該摺動用筒体を前記ソケット本体の後方側に摺動させる方向の力を印加する摺動用筒体駆動手段と、
を備え、
前記トリガーレバーの初期状態で前記プラグ本体の先端側を前記ソケット本体内に挿入して前記複数のボールを前記第１の凹溝内に係合させることで前記プラグに前記ソケットを連結した後に、前記トリガーレバーの１段階目の操作で前記複数のボールが前記第２の凹溝内から離脱するように前記摺動用筒体を前記第４の圧縮バネに抗して前記連結棒の移動によって前記摺動用筒体ストッパ鍔部に向かって摺動させることで前記プラグに前記ソケットを係止させ、且つ、前記トリガーレバーの１段階目の操作後に前記摺動用筒体の移動が前記摺動用筒体ストッパ鍔部で規制されたまま前記トリガーレバーの２段階目の操作で該摺動用筒体に印加された前記摺動用筒体駆動手段からの力の反力により前記ノズル収納用筒体を前記第３の圧縮バネに抗して前記ソケット本体の前記第２の流通路内の先端側に移動させて、前記第２のノズルで前記第１のノズルを押し込むことで、前記第１，第２のノズルを開くように構成されていることを要旨とする。
【０００７】
また、本発明の手動型の充填機は、気体又は液体を通すために円環状の内周部に形成された第１の流通路と、前記第１の流通路内で第１の圧縮バネにより閉じ方向に付勢された状態で収納された開閉可能な第１のノズルと、円環状の外周部の円周方向に沿って周回された第１の凹溝とを有するプラグ本体を備えたプラグに着脱自在に連結される手動型の充填機であって、
前記プラグ本体の外周部の先端側を着脱自在に嵌合するために円環状の内部の先端側に形成された先端側丸孔と、前記先端側丸孔の後方に連接されて前記気体又は液体を通すために形成された第２の流通路と、円環状の先端側外周部と前記先端側丸孔との間で円周方向に沿って複数貫通して設けられ且つ軸方向が長く形成された複数の長孔と、円環状の外周部の後端側に形成された摺動用筒体ストッパ鍔部とを有するソケット本体と、
前記ソケット本体の前記複数の長孔内にそれぞれ１個ずつ遊嵌されて前記先端側丸孔内に一部分が突出可能な複数のボールと、
前記気体又は液体を通すために円環状の内部に形成された第３の流通路と、前記第３の流通路内で第２の圧縮バネにより閉じ方向に付勢された状態で収納された開閉可能な第２のノズルとを有し、且つ、前記ソケット本体の前記第２の流通路内を第３の圧縮バネで後方側に付勢されながら円環状の外周部が該第２の流通路内に沿って移動可能に設けられたノズル収納用筒体と、
前記ソケット本体の外周部に摺動可能に嵌合される丸孔と、前記複数のボールが進退可能に係合するように前記丸孔の内面の円周方向に沿って周回された第２の凹溝とを有する摺動用筒体と、
前記ソケット本体が前記プラグから離間している初期時に、前記複数のボールが前記第２の凹溝内に進入するように前記摺動用筒体を前記ソケット本体の先端部側に付勢する第４の圧縮バネと、
前記ノズル収納用筒体側に一体的に取り付けられて、片手で把持できる把持体と、
前記把持体に取り付けられて、片手で２段階操作可能なトリガーレバーと、
一端が初期状態時の前記摺動用筒体に連結され、且つ、他端が初期状態時の前記トリガーレバーに連結された連結棒と、
を備え、
前記トリガーレバーの初期状態で前記プラグ本体の先端側を前記ソケット本体内に挿入して前記複数のボールを前記第１の凹溝内に係合させることで前記プラグに前記ソケットを連結した後に、前記トリガーレバーの１段階目の操作で前記複数のボールが前記第２の凹溝内から離脱するように前記摺動用筒体を前記第４の圧縮バネに抗して前記連結棒の移動によって前記摺動用筒体ストッパ鍔部に向かって摺動させることで前記プラグに前記ソケットを係止させ、且つ、前記トリガーレバーの１段階目の操作後に前記摺動用筒体の移動が前記摺動用筒体ストッパ鍔部で規制されたまま前記トリガーレバーの２段階目の操作で該摺動用筒体に印加された前記連結棒からの力の反力により前記ノズル収納用筒体を前記第３の圧縮バネに抗して前記ソケット本体の前記第２の流通路内の先端側に移動させて、前記第２のノズルで前記第１のノズルを押し込むことで、前記第１，第２のノズルを共に開くように構成されていることを要旨とする。
【０００８】
本発明の手動型の充填機の先頭部品は、  気体又は液体を通すために円環状の内周部に形成された第１の流通路と、前記第１の流通路内で第１の圧縮バネにより閉じ方向に付勢された状態で収納された開閉可能な第１のノズルと、円環状の外周部の円周方向に沿って周回された第１の凹溝とを有するプラグ本体を備えたプラグに着脱自在に連結される手動型の充填機の先頭部品であって、
前記プラグ本体の外周部の先端側を着脱自在に嵌合するために円環状の内部の先端側に形成された先端側丸孔と、前記先端側丸孔の後方に連接されて前記気体又は液体を通すために形成された第２の流通路と、円環状の先端側外周部と前記先端側丸孔との間で円周方向に沿って複数貫通して設けられ且つ軸方向が長く形成された複数の長孔と、円環状の外周部の後端側に形成された摺動用筒体ストッパ鍔部とを有するソケット本体と、
前記ソケット本体の前記複数の長孔内にそれぞれ１個ずつ遊嵌されて前記先端側丸孔内に一部分が突出可能な複数のボールと、
前記気体又は液体を通すために円環状の内部に形成された第３の流通路と、前記第３の流通路内で第２の圧縮バネにより閉じ方向に付勢された状態で収納された開閉可能な第２のノズルとを有し、且つ、前記ソケット本体の前記第２の流通路内を第３の圧縮バネで後方側に付勢されながら円環状の外周部が該第２の流通路内に沿って移動可能に設けられたノズル収納用筒体と、
前記ソケット本体の外周部に摺動可能に嵌合される丸孔と、前記複数のボールが進退可能に係合するように前記丸孔の内面の円周方向に沿って周回された第２の凹溝とを有する摺動用筒体と、
前記ソケット本体が前記プラグから離間している初期時に、前記複数のボールが前記第２の凹溝内に進入するように前記摺動用筒体を前記ソケット本体の先端部側に付勢する第４の圧縮バネと、
前記ソケット本体が前記プラグから離間している初期時に、前記ノズル収納用筒体が前記ソケット本体の第２の流通路内から抜け出ることを防止する抜け防止手段と、
を備えたことを要旨とする。
【発明の効果】
【０００９】
以上のように本発明の手動型の充填機によれば、プラグにソケットを片手操作により容易に信頼性良く連結できる管継手及びソケットを提供できる。
【００１０】
更に、先頭部品によると、ソケット内で先頭側に設けたいくつかの部材の耐久性が劣化した場合に安価に先頭側（先頭部品）だけを交換することができる。
【図面の簡単な説明】
【００１１】
【図１】管継手に適用される本実施の形態１のトリガーレバー付きのソケットを示した斜視図である。
【図２】ボンベ又はタンクに取り付けられているプラグを断面して示した縦断面図である。
【図３】本実施の形態１のトリガーレバー付きのソケットの主要部を示した断面図である。
【図４】本実施の形態１において、プラグとソケットとが離間し、且つ、片手で２段階操作が可能なトリガーレバーの初期状態を説明するための第１動作図であり、（ａ）は全体を示した側面図，（ｂ）は一部破断して拡大して示した縦断面図である。
【図５】本実施の形態１において、トリガーレバーが初期状態の時にプラグにソケットを連結した状態を説明するための第２動作図であり、（ａ）は全体を示した側面図，（ｂ）は一部破断して拡大して示した縦断面図である。
【図６】本実施の形態１において、トリガーレバーの１段階目の操作によりプラグにソケットをロックした状態を説明するための第３動作図であり、（ａ）は全体を示した側面図，（ｂ）は一部破断して拡大して示した縦断面図である。
【図７】本実施の形態１において、トリガーレバーの２段階目の操作により第１，第２のノズルを開いた状態を説明するための第４動作図であり、（ａ）は全体を示した側面図，（ｂ）は一部破断して拡大して示した縦断面図である。
【図８】管継手に適用される本実施の形態２のトリガーレバー付きのソケットを示した斜視図である。
【図９】本実施の形態２において、プラグとソケットとが離間し、且つ、片手で２段階操作が可能なトリガーレバーの初期状態を説明するための第１動作図であり、（ａ）は全体を示した側面図，（ｂ）は一部破断して拡大して示した縦断面図である。
【図１０】本実施の形態２において、トリガーレバーが初期状態の時にプラグにソケットを連結した状態を説明するための第２動作図であり、（ａ）は全体を示した側面図，（ｂ）は一部破断して拡大して示した縦断面図である。
【図１１】本実施の形態２において、トリガーレバーの１段階目の操作によりプラグにソケットをロックした状態を説明するための第３動作図であり、（ａ）は全体を示した側面図，（ｂ）は一部破断して拡大して示した縦断面図である。
【図１２】本実施の形態２において、トリガーレバーの２段階目の操作により第１，第２のノズルを開いた状態を説明するための第４動作図であり、（ａ）は全体を示した側面図，（ｂ）は一部破断して拡大して示した縦断面図である。
【図１３】本本実施の形態３のソケット先頭部品の全体構成を示した斜視図でり、（ａ）はソケット先頭部品を実施の形態１に適用する場合を示し、（ｂ）はソケット先頭部品を実施の形態２に適用する場合を示した図である。
【図１４】本実施の形態３のソケット先頭部品を拡大して示した縦断面図である。
【発明を実施するための形態】
【００１２】
以下に本発明に係るトリガーレバー付きのソケット及びソケット先頭部品について、実施の形態１，実施の形態２，実施の形態３の順に図１〜図１４を参照して詳細に説明する。
【実施の形態１】
【００１３】
図１は本実施の形態１の手動型の充填機（トリガーレバー付きのソケットともいう）２０Ａを示した斜視図である。但し、図１においてはプロパンガスボンベＢ又はタンクＴに取り付けられているプラグ１０も示しており、プラグ１０と本実施の形態１のトリガーレバー付きのソケット２０Ａとで実施の形態１における管継手１Ａを構成する。
【００１４】
また、本実施の形態に用いる例えばプロパンガスボンベ（以下、ボンベＢと記す）Ｂでは、ボンベの横にプラグ１０を設けている。
【００１５】
また、図２はボンベＢ又はタンクＴに取り付けられているプラグ１０の断面図である。更に、図３は本実施の形態１のトリガーレバー付きのソケット２０Ａの主要部を示した断面図である。
【００１６】
図１に示すように、本実施の形態１のトリガーレバー付きのソケット２０Ａは、プラグ１０に着脱自在に装着されてボンベＢ又はタンクＴに気体や液体を充填できる手動型の充填機として構成されている。
【００１７】
上記した本実施の形態１のトリガーレバー付きのソケット２０Ａ（以下、ソケット２０Ａと記す）の主要構成部材は、ソケット本体２１と、ソケット本体２１内を移動可能でソケット側ノズル２３（図３）を収納したノズル収納用筒体２８と、流通路連結用筒体２８と、ソケット本体２１上を摺動する摺動用筒体３４と、把持体３６と、片手で２段階操作可能なトリガーレバー３７と、摺動用筒体３４とトリガーレバー３７との間に連結された連結棒４０と、トリガーレバー３７の操作により摺動用筒体３４にエアー圧又は油圧による力を印加する摺動用筒体駆動手段５０等から構成されており、これらの主要構成部材については後で詳述する。
【００１８】
上記した構成により、ボンベＢ又はタンクＴに固定して取り付けられた雄型のプラグ１０に対して、片手で２段階操作可能なトリガレーレバー３７で容易に着脱自在とするものである。
【００１９】
そして、トリガレーレバー３７の初期状態時に固定側となるプラグ１０にソケット２０Ａを片手で把持して連結した後に、トリガレーレバー３７の１段階目の操作でプラグ１０にソケット２０Ａをロック（係止）する。その後、トリガレーレバー３７の２段階目の操作で、プラグ１０内に設けたプラグ側ノズル（第１のノズル）１２及びソケット２０Ａ内に設けたソケット側ノズル（第２のノズル）２３を開いて、気体又は液体をプラグ１０とソケット２０Ａとの間で確実に通すことを可能とする。
【００２０】
以下の説明において両者１０，２０Ａが接続する側を先端側とし、先端側とは逆側を後端側と呼称する。
【００２１】
図１〜図３に示す如く、実施の形態１における管継手１Ａは、気体又は液体を収容するボンベＢ又はタンクＴに固定して取り付けられた雄型のプラグ１０と、片手で２段階操作可能なトリガレーレバー３７を有し且つプラグ１０に対して着脱自在な実施の形態１の雌型のソケット２０Ａとを備えている。
【００２２】
この際、ボンベＢは例えば屋外などに設置されてプロパンガスなどの気体を収容するものであり、一方、タンクＴは例えば自動車の車体に設けられてガソリン又は重油などの液体を収容するものであり、且つ、ボンベＢ又はタンクＴは用途に応じて適宜な形状に形成されている。
【００２３】
まず、図１及び図２に示す如く、上記した雄型のプラグ１０は、気体又は液体を通すためにプラグ本体１１が鍔付き円環状に形成されており、且つ、ソケット２０Ａに対して接続側となる先端部１１ａと後端部１１ｂとの間の中間部位に鍔部１１ｃ１が先端側外周部１１ｃよりも大径に形成されている。
【００２４】
また、雄型のプラグ１０は、ボンベＢ又はタンクＴに取り付けたプラグ支持部材ＰＳにプラグ本体１１の後端部１１ｂ側の外周に形成したネジ部１１ｃ３をネジ嵌合させて、鍔部１１ｃ１をボンベＢ又はタンクＴに当接させることで、プラグ本体１１がボンベＢ又はタンクＴに固定されている。
【００２５】
また、プラグ本体１１の先端側外周部１１ｃ上で鍔部１１ｃ１よりも前方には、プラグ本体１１の軸方向の前後にテーパを付けたテーパ付き凹溝（第１の凹溝）１１ｃ２が円周方向に沿って周回され且つ先端側外周部１１ｃよりも小径に形成されており、このテーパ付き凹溝１１ｃ２はソケット２０Ａをロックするために、後述するソケット本体２１（図３）の先端部２１ａ側に取り付けた複数のボール２２が進退自在に係合できるようになっている。
【００２６】
また、プラグ本体１１の先端部１１ａと後端部１１ｂとの間の内部に気体又は液体を流通させるプラグ側流通路（第１の流通路）１１ｄが貫通して穿設され、且つ、このプラグ側流通路１１ｄ内にプラグ側ノズル（第１のノズル）１２が第１の軸受支持部材１３に支持されたプラグ側ノズル軸受１４に嵌合しながら第１の圧縮バネ１５の付勢力により開閉自在に収納されている。
【００２７】
上記したプラグ側ノズル（第１のノズル）１２は、先端側のテーパ状先端鍔部１２ａと、テーパ状先端鍔部１２ａの後方に連接してこのテーパ状先端鍔部１２ａよりも小径に形成された中間軸部１２ｂと、中間軸部１２ｂの後方に連接してこの中間軸部１２ｂよりも小径に形成された後端軸部１２ｃとが同心で一体形成されている。
【００２８】
この際、プラグ本体１１のプラグ側流通路１１ｄは、先端部１１ａ側に向かって徐々に内径が狭まるように円錐状に傾斜したテーパ状内面１１ｄ１が形成されているので、このテーパ状内面１１ｄ１にプラグ側ノズル１２のテーパ状先端鍔部１２ａが接離することでプラグ側ノズル１２が開閉自在になっている。
【００２９】
また、プラグ本体１１のプラグ側流通路１１ｄ内の中間部位に設けた第１の軸受支持部材１３は、中央のプラグ側ノズル軸受１４の外周に沿って放射状に設けた複数のスポークにより複数の貫通孔が形成され、これら複数の貫通孔により気体又は液体をプラグ側流通路１１ｄ内に何等の支障もなく通すことができるようになっている。
【００３０】
そして、プラグ側ノズル１２の後端軸部１２ｃがプラグ側ノズル軸受１４に嵌合して軸支されているので、プラグ側ノズル１２がプラグ側ノズル軸受１４の軸方向に摺動可能になっている。
【００３１】
更に、プラグ側ノズル１２のテーパ状先端鍔部１２ａとプラグ側ノズル軸受１４との間でプラグ側ノズル１２の中間軸部１２ｂに嵌入された第１の圧縮バネ１５の付勢力により、プラグ側ノズル１２のテーパ状先端鍔部１２ａがプラグ側流通路１１ｄ内に傾斜して形成したテーパ状内面１１ｄ１に当接することにより、プラグ１０がソケット２０Ａから離間している初期時に、プラグ本体１１のプラグ側流通路１１ｄ内に収納したプラグ側ノズル１２が閉じ状態となっている。
【００３２】
次に、図１及び図３に示す如く、上記した雌型のソケット（トリガーレバー付きソケット）２０Ａは、気体又は液体を通すために円環状の内部に第２の流通路２１ｈが形成されたソケット本体２１と、ソケット本体２１の先端側外周部２１ｃと先端側丸孔２１ｆとの間に形成した複数の長孔２１ｇ内にそれぞれ１個ずつ遊嵌されて先端側丸孔２１ｆ内に一部分が突出可能な複数のボール２２と、円環状の内部に形成した第３の流通路２８ｅ内に開閉可能なソケット側ノズル（第２のノズル）２３を第２の圧縮バネ２６により閉じ方向に付勢した状態で収納し、且つ、ソケット本体２１の第２の流通路２１ｈ内を第３の圧縮バネ２７で後方側に付勢されながら円環状の外周部が第２の流通路２１ｈ内に沿って移動可能に設けられたノズル収納用筒体２８とを備えている。
【００３３】
また、ノズル収納用筒体２８の内部後方部位に設けたＯリング２９及びシール部材３０を介して先端側がノズル収納用筒体２８と一体的に接続され且つ後端にホース３２を接続させた状態で気体又は液体を流通させる流通路３１ｃを内部に形成した流通路連結用筒体３１と、ソケット本体２１の後端側外周部２１ｄに沿って軸方向に摺動可能に設けられ且つ複数のボール２２が進退可能に係合するように先端側丸孔３４ｅの内面の円周方向に沿ってテーパ付き凹溝３４ｅ１が周回された摺動用筒体３４とを備えている。
【００３４】
さらに、ノズル収納用筒体２８と一体な流通路連結用筒体３１に取り付けられて片手で把持できる把持体３６と、把持体３６に取り付けられて片手で２段階操作可能なトリガーレバー３７と、トリガーレバー３７と対向して把持体３６に取り付けられたノブ付きスイッチ３９と、一端が初期状態時の摺動用筒体３４に連結され、且つ、他端が初期状態時のトリガーレバー３７に連結された連結棒４０と、摺動用筒体３４に一端が連結され、他端が把持体３６に連結されて、エアー圧又は油圧により摺動用筒体３４に対してこの摺動用筒体３４をソケット本体２１の後方側に摺動させる方向の力を印加する摺動用筒体駆動手段５０とで構成されている。
【００３５】
この際、図１に示す如く、ソケット２０Ａをユーザーが片手で把持するための把持体３６は、Ｌ字箱状に形成されて流通路連結用筒体３１の角形状外周部３１ｂの下面に取り付けられており、把持体３６の先端部３６ａと後端部３６ｂとの間の内部はエアー流通路（図示せず）が形成され、且つ、把持体３６の後端部３６ｂに摺動用筒体駆動手段５０のエアーホース５１の一端が接続され、このエアーホース５１の他端が不図示のエアーポンプに接続されている。
【００３６】
尚、把持体３６は、ノズル収納用筒体２８に一体的に連結した流通路連結用筒体３１に取り付けているが、把持体３６をノズル収納用筒体２８に直接取り付けても良い。
【００３７】
また、把持体３６の先端部３６ａ側には、片手で２段階操作可能なトリガーレバー３７がピン３８を介して回動自在に取り付けられ、且つ、このトリガーレバー３７の操作に応じて押圧されるノブ付きスイッチ３９がトリガーレバー３７と対向して設けられている。
【００３８】
この際、トリガーレバー３７は、１段階目の操作によりストローク分Ｓ１（図６）だけ移動し、且つ、２段階目の操作によりストローク分Ｓ２（図７）だけ移動して、合計でＳ１＋Ｓ２のストローク量が得られるようになっている。
【００３９】
そして、トリガーレバー３７でノブ付きスイッチ３９を押圧したときに、摺動用筒体駆動手段５０を作動させて、把持体３６内に設けた不図示のエアーバルブを開くことによりエアー圧の印加を開始するようになっている。
【００４０】
これにより、ユーザーが片手で把持体３６を把持しながら、片手操作によりトリガーレバー３７を引き込んだときに不図示のエアーポンプから送られたエアーが把持体３６の後端部３６ｂ側から先端部３６ａ側に向かって流れるようになっている。
【００４１】
また、摺動用筒体３４とトリガーレバー３７との間に連結棒４０が介在しており、この連結棒４０は、一端が初期状態時の摺動用筒体３４の鍔部３４ｄの下部にピン４１を介して連結され、且つ、他端が初期状態時のトリガーレバー３７の中間部位にピン４２を介して連結されている。
【００４２】
また、把持体３６の先端部３６ａに二股パイプ５２の一端が接続されて、この二股パイプ５２の他端が二股に分岐しており、二股パイプ５２の他端に接続した２本のパイプ５３，５３が流通路連結用筒体３１の角形状外周部３１ｂの左右側面に突出させた突出片３１ｄ，３１ｄに取り付けた２本のエアーシリンダ５４，５４のうちで各前方側エアー室に接続されている。
【００４３】
更に、２本のエアーシリンダ５４，５４からそれぞれ前方に向かって突出させた２本のピストン５５，５５が摺動用筒体３４の後端側に形成した鍔部３４ｄの左右部位にナット５６，５６を用いて連結されているので、摺動用筒体３４はソケット本体２１の後端側外周部２１ｄ（図３）に沿って軸方向への摺動が許容されている。
【００４４】
尚、この実施の形態１では、摺動用筒体駆動手段５０をエアー圧によって作動させているが、エアー圧に代えて油圧を用いても良い。
【００４５】
ここで、実施の形態１における雌型のソケット２０Ａについて具体的に説明すると、図３に拡大して示した如く、ソケット本体２１は、先端部２１ａと後端部２１ｂとの間で先端側に形成した先端側外周部２１ｃと、この先端側外周部２１ｃに続いて先端側外周部２１ｃよりも一回り大径で後端側に形成した後端側外周部２１ｄと、後端側外周部２１ｄの一部を突出させてこの後端側外周部２１ｄよりも大径に形成した摺動用筒体ストッパ鍔部２１ｅとで段付き円環状に形成されている。
【００４６】
また、ソケット本体２１の先端部２１ａ側には、プラグ本体１１の先端側外周部１１ｃ（図１，図２）が挿入されて嵌め込まれる先端側丸孔２１ｆが開口されており、且つ、先端側丸孔２１ｆに続いて気体又は液体を流通させる中間部丸孔２１ｈ（第２の流通路）が先端側丸孔２１ｆの径よりも大径に形成されていると共に、中間部丸孔２１ｈに続いて後端側丸孔２１ｉが中間部丸孔２１ｈの径よりも大径に後端部２１ｂまで形成されている。
【００４７】
また、ソケット本体２１の先端側外周部２１ｃと先端側丸孔２１ｆとの間には、先端部２１ａよりも少し後方に複数の長孔２１ｇが円周方向に沿って略等間隔に貫通して穿設され、且つ、軸方向に長く形成されており、これら複数の長孔２１ｇ内に複数のボール２２がそれぞれ１個ずつ遊嵌されている。
【００４８】
この際、ソケット本体２１の各長孔２１ｇ内に遊嵌している各ボール２２は、プラグ本体１１（図１，図２）が挿入されていない初期時にソケット本体２１の先端側丸孔２１ｆ内に落下しないように、各長孔２１ｇは先端側丸孔２１ｆに向かって各ボール２２の直径よりも小径となるように長孔２１ｇの内面に沿って傾斜を付けることで、各ボール２２の一部分のみが先端側丸孔２１ｆに向かって突出できるようになっている。
【００４９】
また、ソケット本体２１の中間部丸孔２１ｈ内の前方部位に第３の圧縮バネ２７が嵌入されており、この第３の圧縮バネ２７よりも後方の中間部丸孔２１ｈ内及び後端側丸孔２１ｉ内には、ノズル収納用筒体２８が先端側を第３の圧縮バネ２７により後方側に付勢されながら前後方向に往復動可能に嵌め込まれている。
【００５０】
上記したノズル収納用筒体２８は、先端部２８ａと後端部２８ｂとの間で先端側に形成した先端側外周部２８ｃと、この先端側外周部２８ｃに続いて先端側外周部２８ｃよりも一回り大径で後端部２８ｂに向かって形成した後端側外周部２８ｄとで段付き円環状に形成されている。
【００５１】
また、ノズル収納用筒体２８の内部に先端部２８ａ側から後端部２８ｂ側に向かって気体又は液体を流通させるソケット側流通路（第３の流通路）２８ｅと、ソケット側流通路２８ｅの径よりも大径な後端側丸孔２８ｆとが同心的に形成されている。
【００５２】
そして、ノズル収納用筒体２８のソケット側流通路２８ｅ内にソケット側ノズル（第２のノズル）２３が第２の軸受支持部材２４に支持されたソケット側ノズル軸受２５に嵌合しながら第２の圧縮バネ２６の付勢力により開閉自在に収納されている。
【００５３】
上記したソケット側ノズル（第２のノズル）２３は、プラグ本体１１内に収納したプラグ側ノズル１２のテーパ状先端鍔部１２ａ（図２）に接離する先端側の先端軸部２３ａと、先端軸部２３ａの後方に連接してこの先端軸部２３ａよりも大径に形成されたテーパ状中間鍔部２３ｂと、テーパ状中間鍔部２３ｂの後方に連接してこのテーパ状中間鍔部２３ｂよりも小径に形成された中間軸部２３ｃと、中間軸部２３ｃの後方に連接してこの中間軸部２３ｃよりも小径に形成された後端軸部２３ｄとが同心で一体形成されている。
【００５４】
この際、ノズル収納用筒体２８のソケット側流通路２８ｅは、先端部２８ａ側に向かって徐々に内径が狭まるように円錐状に傾斜したテーパ状内面２８ｅ１が形成されているので、このテーパ状内面２８ｅ１にソケット側ノズル２３のテーパ状中間鍔部２３ｂが接離することでソケット側ノズル２３が開閉自在になっている。
【００５５】
また、ノズル収納用筒体２８のソケット側流通路２８ｅ内の中間部位に設けた第２の軸受支持部材２４は、中央のソケット側ノズル軸受２５の外周に沿って放射状に設けた複数のスポークにより複数の貫通孔が形成され、これら複数の貫通孔により気体又は液体をソケット側流通路２８ｅ内に何等の支障もなく通すことができるようになっている。
【００５６】
そして、ソケット側ノズル２３の後端軸部２３ｄがソケット側ノズル軸受２５に嵌合して軸支されているので、ソケット側ノズル２３がソケット側ノズル軸受２５の軸方向に摺動可能になっている。
【００５７】
更に、ソケット側ノズル２３のテーパ状中間鍔部２３ｂとソケット側ノズル軸受２５との間でソケット側ノズル２３の中間軸部２３ｃに第２の圧縮バネ２６が嵌入されており、この第２の圧縮バネ２６の付勢力によりソケット側ノズル２３のテーパ状中間鍔部２３ｂがノズル収納用筒体２８のソケット側流通路２８ｅ内に傾斜して形成したテーパ状内面２８ｅ１に当接することにより、ソケット２０Ａがプラグ１０から離間している初期状態時にソケット側ノズル２３が閉じ状態となっている。
【００５８】
また、ソケット２０Ａがプラグ１０から離間している初期状態時に、ソケット側ノズル２３の先端軸部２３ａはソケット本体２１の中間部丸孔２１ｈ内に突出しているが、このソケット側ノズル２３の先端軸部２３ａの先端位置は初期状態でプラグ１０と連結したときにプラグ本体１０内に設けたプラグ側ノズル１２のテーパ状先端鍔部１２ａを押し込めないように設定されている。
【００５９】
また、ノズル収納用筒体２８のソケット側流通路２８ｅの後方にＯリング２９を周回させたシール部材３０が嵌め込まれ、更に、シール部材３０の後方に流通路連結用筒体３１の円環状先端外周部３１ａが嵌合する後端側丸孔２８ｆが後端部２８ｂに向かって開口されている。そして、流通路連結用筒体３１の円環状先端外周部３１ａの先端部位をＯリング２９を周回させたシール部材３０に突き当てることにより気体又は液体の漏れを防止している。
【００６０】
また、ソケット本体２１の先端側丸孔２１ｆ内の中間部位にＯリング３３が嵌め込まれており、ソケット本体２１の先端側丸孔２１ｆ内にプラグ本体１１の先端側外周部１１ｃ（図１，図２）を嵌合させたときに、Ｏリング３３によって気体又は液体の漏れを防止している。
【００６１】
また、ソケット本体２１の後端側外周部２１ｄ上を摺動する摺動用筒体３４は、先端部３４ａと後端部３４ｂとの間に形成した外周部３４ｃの後方に連結棒４０及び２本のピストン５５（図１）を連結する鍔部３４ｄが突出形成されて、鍔付き円環状に形成されている。
【００６２】
また、摺動用筒体３４は、先端部３４ａと後端部３４ｂとの間で先端側に先端側丸孔３４ｅがソケット本体２１の先端側外周部２１ｃの径よりも僅かに大きく開口され、且つ、先端側丸孔３４ｅに続いて後端側に後端側丸孔３４ｆが先端側丸孔３４ｅの径よりも大径で且つソケット本体２１の後端側外周部２１ｄの径よりも僅かに大きく開口されている。
【００６３】
そして、摺動用筒体３４の先端側丸孔３４ｅ内及び後端側丸孔３４ｆ内にソケット本体２１の先端側外周部２１ｃ及び後端側外周部２１ｄが同心的に嵌め込まれている。
【００６４】
また、摺動用筒体３４の先端側丸孔３４ｅの内面には、先端部３４ａよりも少し後方に軸方向の前後にテーパを付けたテーパ付き凹溝（第２の凹溝）３４ｅ１が円周方向に沿って周回され且つ先端側丸孔３４ｅの内径よりも大径に形成されており、このテーパ付き凹溝３４ｅ１はプラグ１０をロックするために、ソケット本体２１の先端側に取り付けた複数のボール２２が進退自在に係合できるようになっている。
【００６５】
更に、摺動用筒体３４の後端側丸孔３４ｆ内にソケット本体２１の後端側外周部２１ｄを嵌合させた状態で、摺動用筒体３４の後端側丸孔３４ｆとソケット本体２１の先端側外周部２１ｃとの間に生じた空間内に第４の圧縮バネ３５が嵌入されている。
【００６６】
この際、第４の圧縮バネ３５は、ソケット２０Ａがプラグ１０から離間している初期状態時に複数のボール２２が摺動用筒体３４の先端側丸孔３４ｅの内面に周回させたテーパ付き凹溝３４ｅ１内に進入するように摺動用筒体３４をソケット本体２１の先端部２１ａ側に付勢しており、言い換えると、第４の圧縮バネ３５は、摺動用筒体３４をソケット本体２１上で初期状態にする機能を有している。
【００６７】
そして、摺動用筒体３４がソケット本体２１上で初期位置に至っているときには、ソケット本体２１の先端側外周部２１ｃと先端側丸孔２１ｆとの間に形成した複数の長孔２１ｇと、摺動用筒体３４の先端側丸孔３４ｅの内面に形成したテーパ付き凹溝３４ｅ１とが互いに対向し、且つ、複数の長孔２１ｇ内に遊嵌している複数のボール２２がソケット本体２１の先端側丸孔２１ｆ内に臨みながら摺動用筒体３４のテーパ付き凹溝３４ｅ１に係合している状態であり、且つ、摺動用筒体３４の先端部３４ａがソケット本体２１の先端部２１ａよりも僅かに前方に突出した状態である。
【００６８】
ここで、上記のように構成した本発明に係る実施の形態１の管継手１Ａの動作について、図４〜図７を用いて動作順に説明する。
【００６９】
まず、図４（ａ），（ｂ）に示した実施の形態１の管継手１Ａにおける第１動作図は、可動側のソケット２０Ａが固定側のプラグ１０から離間して、プラグ１０及びソケット２０Ａが共に初期状態に至っていると共に、ソケット２０Ａ側に２段階操作可能に取り付けたトリガーレバー３７も初期状態（４０が引かれていない状態）を保っている状態であり、先に説明した図２，図３の状態と同じである。
【００７０】
また、ボンベＢ又はタンクＴに取り付けられた雄型のプラグ１０は、プラグ本体１１のプラグ側流通路１１ｄ内に収納されたプラグ側ノズル１２のテーパ状先端鍔部１２ａが第１の圧縮バネ１５の付勢力によりプラグ側流通路１１ｄの前方に形成したテーパ状内面１１ｄ１に当接して、プラグ側ノズル１２が閉じ状態である。
【００７１】
一方、可動側の雌型のソケット２０Ａは、ソケット本体２１の先端側丸孔２１ｆよりも後方側に順に形成した中間部丸孔２１ｈ内及び後端側丸孔２１ｉ内でノズル収納用筒体２８が第３の圧縮バネ２７の付勢力によりソケット本体２１の後方側に移動している。
【００７２】
また、ノズル収納用筒体２８のソケット側流通路２８ｅ内に収納されたソケット側ノズル２３のテーパ状中間鍔部２３ｂが第２の圧縮バネ２６の付勢力によりソケット側流通路２８ｅの前方に形成したテーパ状内面２８ｅ１に当接して、ソケット側ノズル２３が閉じ状態であると共に、ソケット側ノズル２３の先端軸部２３ａはソケット本体２１の中間部丸孔２１ｈ内に突出して臨んでいる。
【００７３】
また、片手で２段階操作可能なトリガーレバー３７は引かれてなく、且つ、ソケット本体２１の後端側外周部２１ｄに沿って摺動する摺動用筒体３４はソケット本体２１の先端部２１ａ側に移動して初期状態を保っている。
【００７４】
また、ソケット本体２１の先端側外周部２１ｃと先端側丸孔２１ｆとの間に形成した複数の長孔２１ｇ内に遊嵌している複数のボール２２が、ソケット本体２１の先端側丸孔２１ｆ内に臨みながら摺動用筒体３４の先端側丸孔３４ｅの内面に形成したテーパ付き凹溝３４ｅ１に係合し、摺動用筒体３４の先端部３４ａがソケット本体２１の先端部２１ａよりも僅かに前方に突出しているので、摺動用筒体３４は初期状態に至っている。
【００７５】
そして、摺動用筒体３４及びトリガーレバー３７が初期状態に至っているときに、摺動用筒体３４の鍔部３４ｄとソケット本体２１の摺動用筒体ストッパ鍔部２１ｅとの間の間隔は、トリガーレバー３７の１段階目の操作によるストローク分Ｓ１だけ隔ており、且つ、トリガーレバー３７は１段階目の操作によるストローク分Ｓ１だけの余裕を持って把持体３６に取り付けたノブ付きスイッチ３９から離れている。
【００７６】
次に、図５（ａ），（ｂ）に示した実施の形態１の管継手１Ａにおける第２動作図は、トリガーレバー３７が初期状態のときに、固定側のプラグ１０に可動側のソケット２０Ａを連結した状態である。
【００７７】
ここで、ユーザーはソケット２０Ａの把持体３６を片手で把持しながらソケット本体２１の先端側丸孔２１ｆ内にプラグ本体１１の先端側外周部１１ｃを挿入する。
【００７８】
このとき、摺動用筒体３４はソケット本体２１に対して初期状態を保っているので、摺動用筒体３４の鍔部３４ｄとソケット本体２１の摺動用筒体ストッパ鍔部２１ｅとの間の間隔は、トリガーレバー３７の１段階目の操作によるストローク分Ｓ１だけ隔てた状態を保っている。
【００７９】
また、プラグ本体１１の先端側をソケット本体２１内に挿入したときに、ソケット本体２１の先端側外周部２１ｃと先端側丸孔２１ｆとの間に形成した複数の長孔２１ｇ内に遊嵌している複数のボール２２は、プラグ本体１１の先端側外周部１１ｃに当接しながらプラグ本体１１のテーパ付き凹溝１１ｃ２内に係合すると共に、摺動用筒体３４の先端側丸孔３４ｅの内面に形成したテーパ付き凹溝３４ｅ１にも係合するので、ソケット本体２１内にプラグ本体１１が同心的に連結される。
【００８０】
尚、プラグ１０とソケット２０Ａとが連結しているときに、ユーザーが故意にソケット２０Ａをプラグ１０から引き抜くと、複数のボール２２はプラグ本体１１のテーパ付き凹溝１１ｃ２内から離脱できる状態である。
【００８１】
また、ソケット本体２１内に収納されたノズル収納用筒体２８は、第３の圧縮バネ２７によってソケット本体２１内の後方側に移動しているので、ソケット本体２１内にプラグ本体１１の先端部１１ａ側を挿入しても、プラグ本体１１内に収納したプラグ側ノズル１２のテーパ状先端鍔部１２ａと、ノズル収納用筒体２８内に収納したソケット側ノズル２３の先端軸部２３ａは互いに接近した状態で対向しているために、両ノズル１２，２３は共に閉じられたままである。
【００８２】
次に、図６（ａ），（ｂ）に示した実施の形態１の管継手１Ａにおける第３動作図は、ソケット２０Ａをプラグ１０に連結した後に、片手で２段階操作可能なトリガーレバー３７の１段階目の操作によりプラグ１０にソケット２０Ａをロックした状態を示している。
【００８３】
ここで、ユーザーはソケット２０Ａの把持体３６を片手で把持しながらトリガーレバー３７に対して１段階目の操作を行うと、トリガーレバー３７は１段階目のストローク分Ｓ１により後方側に移動して、把持体３６に取り付けたノブ付きスイッチ３９に当接する。
【００８４】
また、一端を初期状態時の摺動用筒体３４の鍔部３４ｄに連結し且つ他端を初期状態時のトリガーレバー３７の中間部位に連結した連結棒４０も、トリガーレバー３７の１段階目のストローク分Ｓ１により後方側に移動するので、連結棒４０の後方側への移動に伴って摺動用筒体３４が第４の圧縮バネ３５の付勢力に抗してソケット本体２１の後端側外周部２１ｄに沿いながら摺動用筒体ストッパ鍔部２１ｅに向かって摺動して、摺動用筒体３４の鍔部３４ｄがソケット本体２１の摺動用筒体ストッパ鍔部２１ｅに当接するので、摺動用筒体３４はこれ以上後方側への移動が規制される。
【００８５】
また、連結棒４０と一緒に摺動用筒体３４がソケット本体２１の後方側に摺動すると、ソケット本体２１に形成した複数の長孔２１ｇ内に遊嵌している複数のボール２２が、摺動用筒体３４の先端側丸孔３４ｅの内面に形成したテーパ付き凹溝３４ｅ１内から外れて摺動用筒体３４の先端側丸孔３４ｅの先端部内面に当接して、摺動用筒体３４の先端側丸孔３４ｅの先端部内面で複数のボール２２をプラグ本体１１のテーパ付き凹溝１１ｃ２内に押圧することで、複数のボール２２はプラグ本体１１のテーパ付き凹溝１１ｃ２内で動けなくなるので、ソケット２０Ａをプラグ１０に確実にロックできる。
【００８６】
この際、ソケット本体２１に収納されたノズル収納用筒体２８は第３の圧縮バネ２７によってソケット本体２１内の後方側に移動したままの状態を保持しているので、プラグ本体１１内に収納したプラグ側ノズル１２及びソケット本体２１内に収納したソケット側ノズル２３は共に閉じられたままである。
【００８７】
一方、ソケット２０Ａをプラグ１０にロックした後に、ユーザーがトリガーレバー３７を初期状態に戻せば、連結棒３０を介して摺動用筒体３４を初期状態まで戻すことができる。
【００８８】
次に、図７（ａ），（ｂ）に示した実施の形態１の管継手１Ａにおける第４動作図は、プラグ１０にソケット２０Ａをロックした後に、トリガーレバー３７の２段階目の操作により第１，第２のノズル１２，２３を開く状態を示している。
【００８９】
ここで、ユーザーはソケット２０Ａの把持体３６を片手で把持しながらトリガーレバー３７に対して２段階目の操作を行い、この２段階目の操作によりトリガーレバー３７が２段階目のストローク分Ｓ２だけ後方側に移動できるようにすると共に、トリガーレバー３７で把持体３６に取り付けたノブ付きスイッチ３９に対してクリック感を持って押し込む。
【００９０】
そして、トリガーレバー３７の２段階目の操作によりノブ付きスイッチ３９が押し込まれると、把持体３６内に設けた不図示のエアーバルブを開き、不図示のポンプから送られたエアーを、エアーホース５１から把持体３６内を経てエアーシリンダ５４の各前方側エアー室内に押し込むように摺動用筒体駆動手段５０を作動させる。
【００９１】
このとき、連結棒４０及びピストン５５を連結した摺動用筒体３４は、この鍔部３４ｄがソケット本体２１の摺動用筒体ストッパ鍔部２１ｅに当接しているために、摺動用筒体３４はソケット本体２１の後方側に移動できない。
【００９２】
一方、摺動用筒体駆動手段５０からのエアー圧により摺動用筒体３４の鍔部３４ｄに対してこの摺動用筒体３４をソケット本体２１の後方側に摺動させる方向の力が印加されるが、鍔部３４ｄに印加されるエアー圧による力は連結棒４０の長さを維持しようとする反力となり、この反力は摺動用筒体３４の鍔部３４ｄに連結した連結棒４０の一端側からトリガーレバー３７に連結した連結棒４０の他端側に伝達されて、リガーレバー３７を経て把持体３６に伝わる。
【００９３】
更に、把持体３６に伝わった反力は、把持体３６と一体な流通路連結用筒体３１を経てノズル収納用筒体２８に伝わるので、ノズル収納用筒体２８は連結棒４０の長さを維持しようと第３の圧縮バネ２７に抗してソケット本体２１の中間部丸孔２１ｈ内の前方側に移動することで、トリガーレバー３７は２段階目のストローク分Ｓ２だけ移動できる。
【００９４】
そして、ノズル収納用筒体２８がソケット本体２１内の前方側に移動すると、ノズル収納用筒体２８内に収納されたソケット側ノズル２３の先端軸部２３ａでプラグ本体１１内に収納されたプラグ側ノズル１２のテーパ状先端鍔部１２ａを押しながらソケット側ノズル２３の中間軸部２３ｃの後端が第２の圧縮バネ２６の付勢力に抗してソケット側ノズル軸受２５に当接することにより、ソケット側ノズル２３のテーパ状中間鍔部２３ｂとノズル収納用筒体２８のテーパ状内面２８ｅ１との間に気体又は液体を通す隙間が生じる。
【００９５】
これと略同時に、ソケット側ノズル２３により押されたプラグ側ノズル１２の中間軸部１２ｂの後端が第１の圧縮バネ１５の付勢力に抗してプラグ側ノズル軸受１４に当接することにより、プラグ側ノズル１２のテーパ状先端鍔部１２ａとプラグ本体１１のテーパ状内面１１ｄ１との間に気体又は液体を通す隙間が生じる。
【００９６】
これにより、プラグ１０にソケット２０Ａを確実にロックした後に、トリガーレバー３７の２段階目の操作によりプラグ側ノズル１２及びソケット側ノズル２３が共に開くために、プラグ１０にソケット２０Ａを係止させるまでの間では気体又は液体の漏れがなく、且つ、プラグ１０にソケット２０Ａを係止させた後に気体又は液体をソケット２０Ａからプラグ１０に確実に通すことができる。
【００９７】
従って、ユーザーは、トリガーレバー３７の１段階目の操作による感触と、２段階目の操作による感触とが異なることを片手に感じることができ、これにより１段階目の操作と２段階目の操作が確実に行うことができたことを確認できる。
【００９８】
更に、ノズル収納用筒体２８をソケット本体２１内の前方側に移動させる駆動源として、摺動用筒体駆動手段５０によるエアー圧を用い、このエアー圧による力を摺動用筒体３４に印加することで、ノズル収納用筒体２８をソケット本体２１内の前方側に確実に移動させることができる。
【００９９】
従って、プラグ１０にソケット２０Ａを片手操作により信頼性良く連結できる実施の形態１の管継手１Ａ及びソケット２０Ａを提供できる。
【０１００】
尚、ここでの図示を省略するが、実施の形態１を一部変形させて、把持体３６に取り付けたノブ付きスイッチ３９の先端を初期状態で待機しているトリガーレバー３７に当接する寸前まで延ばしておき、トリガーレバー３７を操作したらこのトリガーレバー３７でノブ付きスイッチ３９を直ちに押圧して摺動用筒体駆動手段５０を作動させ、トリガーレバー３７による全ストローク分（Ｓ１＋Ｓ２）中に摺動用筒体駆動手段５０からのエアー圧（又は油圧）による力を摺動用筒体３４の鍔部３４ｄに印加することも可能である。
【０１０１】
この場合には、トリガーレバー３７の１段階目の操作によるストローク分Ｓ１と２段階目の操作によるストローク分Ｓ２とが連続して自動的に行われるので、ユーザーは１度だけトリガーレバー３７を操作したものと見なしてしまうので、片手での感触を把握しにくい点が生じるものの、実施の形態１の管継手１Ａの全ての動作を実行できる。
【実施の形態２】
【０１０２】
図８は本実施の形態２のトリガーレバー付きのソケット２０Ｂを示した斜視図である。但し、図８においても実施の形態と同様に、ボンベＢ又はタンクＴに取り付けられているプラグ１０も示しており、プラグ１０と本実施の形態２のトリガーレバー付きのソケット２０Ｂとで実施の形態１における管継手１Ｂが構成されている。
【０１０３】
図８に示した実施の形態２のトリガーレバー付きのソケット２０Ｂは、先に説明した実施の形態１のトリガーレバー付きのソケット２０Ａの構成と一部を除いて同様の構成であり、ここでは説明の便宜上、先に示した構成部材に対しては同一の符号を付し、且つ、先に示した構成部材は必要に応じて適宜説明し、実施の形態１に対して異なる構成部材に新たな符号を付して説明する。
【０１０４】
図８に示すように、本実施の形態２のトリガーレバー付きのソケット２０Ｂ（以下、ソケット２０Ｂと記す）も、実施の形態１と同様に、プラグ１０に着脱自在に装着されてボンベＢ又はタンクＴに気体や液体を充填できる手動型の充填機として構成されている。
【０１０５】
また、実施の形態１における管継手１Ｂも、実施の形態１と同様に、気体又は液体を収容するボンベＢ又はタンクＴなどに固定して取り付けられた雄型のプラグ１０と、片手で２段階操作可能なトリガレーレバー３７を有し且つプラグ１０に対して着脱自在な実施の形態２の雌型のソケット２０Ｂとを備えている。
【０１０６】
そして、トリガレーレバー３７の初期状態時に固定側となるプラグ１０に可動側となるソケット２０Ｂを片手で把持して連結した後に、トリガレーレバー３７の１段階目の操作によりプラグ１０にソケット２０Ｂを確実にロック（係止）し、その後、トリガレーレバー３７の２段階目の操作によりプラグ１０内に設けたプラグ側ノズル１２（図９）及びソケット２０Ｂ内に設けたソケット側ノズル２３（図９）を確実に開くことで、気体又は液体をソケット２０Ｂからプラグ１０に確実に通すことができるようになっている点は実施の形態１と同じである。
【０１０７】
一方、実施の形態１に対して実施の形態２の管継手１Ｂでは、ソケット２０Ｂが一部異なるだけである。
【０１０８】
即ち、実施の形態２のソケット（トリガーレバー付きのソケット）２０Ｂでは、ソケット本体２１と、ソケット本体２１に形成した複数の長孔２１ｇ内にそれぞれ１個ずつ遊嵌された複数のボール２２と、ソケット本体２１内を移動可能に設けられてソケット側ノズル（第２のノズル）２３を収納したノズル収納用筒体２８と、ノズル収納用筒体２８に一体的に連結された流通路連結用筒体３１と、ソケット本体２１の後端側外周部２１ｄに沿って軸方向に摺動可能に設けられた摺動用筒体３４と、ノズル収納用筒体２８と一体な流通路連結用筒体３１に取り付けられて片手で把持できる把持体３６と、把持体３６に取り付けられて片手で２段階操作可能なトリガーレバー３７と、一端が初期状態時の摺動用筒体３４に連結され、且つ、他端が初期状態時のトリガーレバー３７に連結された連結棒４０とを備えている点は実施の形態１と同じ構成である。
【０１０９】
しかし、実施の形態２のソケット２０Ｂでは、エアー圧でノズル収納用筒体２８をソケット本体２１内の前方側に移動させるための駆動源となる摺動用筒体駆動手段（５０）及び摺動用筒体駆動手段（５０）を作動させるノブ付きスイッチ（３９）が設けられていなく、且つ、ノブ付きスイッチ（３９）に代えてトリガーレバー３７の操作に対してクリック感を付与するために進退自在なノブ４５がトリガーレバー３７と対向して把持体３６に取り付けられている点が実施の形態１に対して異なっているだけである。
【０１１０】
尚、この実施の形態２では、説明の都合上、摺動用筒体３４の鍔部３４の下部とトリガーレバー３７の中間部位との間を１本の連結棒４０で連結しているが、摺動用筒体３４の鍔部３４の左右とトリガーレバー３７の中間部位との間を２本の連結棒４０で連結すれば、連結棒４０が１本の場合よりも摺動用筒体３４をソケット本体２１の後端側外周部２１ｄに沿ってスムーズに摺動させることが可能である。
【０１１１】
ここで、上記のように構成した本発明に係る実施の形態２の管継手２Ｂの動作について、図９〜図１２を用いて動作順に説明する。
【０１１２】
この際、実施の形態２の管継手２Ｂの動作では、実施の形態１に対して摺動用筒体駆動手段（５０）を削除した点が異なるだけであるので、実施の形態２の第１〜第４動作図（図９〜図１２）において、実施の形態１の第１〜第４動作図（図４〜図７）と同じ動作に対して同じ符番を付して簡略に説明し、実施の形態１に対して異なる点を中心に説明する。
【０１１３】
まず、図９（ａ），（ｂ）に示した実施の形態２の管継手１Ｂにおける第１動作図は、可動側のソケット２０Ｂが固定側のプラグ１０から離間して、プラグ１０及びソケット２０Ｂが共に初期状態に至っていると共に、ソケット２０Ｂ側に２段階操作可能に取り付けたトリガーレバー３７も初期状態を保っている状態である。
【０１１４】
また、プラグ１０のプラグ本体１１内に収納されたプラグ側ノズル（第１のノズル）１２と、ソケット２０Ｂのソケット本体２１内で第３の圧縮バネ２７により後方側に付勢された移動可能なノズル収納用筒体２８内に収納されたソケット側ノズル（第２のノズル）２３とが共に閉じ状態である。
【０１１５】
また、片手で２段階操作可能なトリガーレバー３７は引かれてなく、且つ、ソケット本体２１の後端側外周部２１ｄに沿って摺動する摺動用筒体３４はソケット本体２１の先端部２１ａ側に移動して初期状態を保っている。
【０１１６】
そして、摺動用筒体３４及びトリガーレバー３７が初期状態に至っているときに、摺動用筒体３４の鍔部３４ｄとソケット本体２１の摺動用筒体ストッパ鍔部２１ｅとの間の間隔は、トリガーレバー３７の１段階目の操作によるストローク分Ｓ１だけ隔ており、且つ、トリガーレバー３７は１段階目の操作によるストローク分Ｓ１だけの余裕を持って把持体３６に取り付けた進退自在なノブ４５から離れている。
【０１１７】
次に、図１０（ａ），（ｂ）に示した実施の形態２の管継手１Ｂにおける第２動作図は、トリガーレバー３７が初期状態のときに、固定側のプラグ１０に可動側のソケット２０Ｂを連結した状態である。
【０１１８】
ここで、ユーザーはソケット２０Ｂの把持体３６を片手で把持しながらソケット本体２１の先端側丸孔２１ｆ内にプラグ本体１１の先端側外周部１１ｃを挿入する。
【０１１９】
このとき、摺動用筒体３４はソケット本体２１に対して初期状態を保っているので、摺動用筒体３４の鍔部３４ｄとソケット本体２１の摺動用筒体ストッパ鍔部２１ｅとの間の間隔は、トリガーレバー３７の１段階目の操作によるストローク分Ｓ１だけ隔てた状態を保っている。
【０１２０】
また、プラグ本体１１の先端側をソケット本体２１内に挿入したときに、ソケット本体２１の先端側外周部２１ｃと先端側丸孔２１ｆとの間に形成した複数の長孔２１ｇ内に遊嵌している複数のボール２２は、プラグ本体１１の先端側外周部１１ｃに当接しながらプラグ本体１１のテーパ付き凹溝１１ｃ２内に係合すると共に、摺動用筒体３４の先端側丸孔３４ｅの内面に形成したテーパ付き凹溝３４ｅ１にも係合するので、ソケット本体２１内にプラグ本体１１が同心的に連結される。
【０１２１】
そして、ソケット本体２１内にプラグ本体１１の先端側を挿入しても、プラグ本体１１内に収納したプラグ側ノズル１２のテーパ状先端鍔部１２ａと、ノズル収納用筒体２８内に収納したソケット側ノズル２３の先端軸部２３ａは互いに接近した状態で対向しているために、両ノズル１２，２３は共に閉じられたままである。
【０１２２】
次に、図１１（ａ），（ｂ）に示した実施の形態２の管継手１Ｂにおける第３動作図は、ソケット２０Ｂをプラグ１０に連結した後に、片手で２段階操作可能なトリガーレバー３７の１段階目の操作によりプラグ１０にソケット２０Ｂをロックした状態を示している。
【０１２３】
ここで、ユーザーはソケット２０Ｂの把持体３６を片手で把持しながらトリガーレバー３７に対して１段階目の操作を行うと、トリガーレバー３７は１段階目のストローク分Ｓ１により後方側に移動して、把持体３６に取り付けたノブ４５に当接する。
【０１２４】
また、一端を初期状態時の摺動用筒体３４の鍔部３４ｄに連結し且つ他端を初期状態時のトリガーレバー３７の中間部位に連結した連結棒４０も、トリガーレバー３７の１段階目のストローク分Ｓ１により後方側に移動するので、連結棒４０の後方側への移動に伴って摺動用筒体３４が第４の圧縮バネ３５の付勢力に抗してソケット本体２１の後端側外周部２１ｄに沿いながら摺動用筒体ストッパ鍔部２１ｅに向かって摺動して、摺動用筒体３４の鍔部３４ｄがソケット本体２１の摺動用筒体ストッパ鍔部２１ｅに当接するので、摺動用筒体３４はこれ以上後方側への移動が規制される。
【０１２５】
また、連結棒４０と一緒に摺動用筒体３４がソケット本体２１の後方側に摺動すると、ソケット本体２１に形成した複数の長孔２１ｇ内に遊嵌している複数のボール２２が、摺動用筒体３４の先端側丸孔３４ｅの内面に形成したテーパ付き凹溝３４ｅ１内から外れて摺動用筒体３４の先端側丸孔３４ｅの先端部内面に当接して、摺動用筒体３４の先端側丸孔３４ｅの先端部内面で複数のボール２２をプラグ本体１１のテーパ付き凹溝１１ｃ２内に押圧することで、複数のボール２２はプラグ本体１１のテーパ付き凹溝１１ｃ２内で動けなくなるので、ソケット２０Ｂをプラグ１０に確実にロックできる。
【０１２６】
この際、ソケット本体２１に収納されたノズル収納用筒体２８は第３の圧縮バネ２７によってソケット本体２１内の後方側に移動したままの状態を保持しているので、プラグ本体１１内に収納したプラグ側ノズル１２及びソケット本体２１内に収納したソケット側ノズル２３は共に閉じられたままである。
【０１２７】
次に、図１２ａ），（ｂ）に示した実施の形態２の管継手１Ｂにおける第４動作図は、プラグ１０にソケット２０Ｂをロックした後に、トリガーレバー３７の２段階目の操作により第１，第２のノズル１２，２３を開く状態を示している。
【０１２８】
ここで、ユーザーはソケット２０Ｂの把持体３６を片手で把持しながらトリガーレバー３７に対して２段階目の操作を行い、この２段階目の操作によりトリガーレバー３７が２段階目のストローク分Ｓ２だけ後方側に移動できるようにすると共に、トリガーレバー３７で把持体３６に取り付けたノブ４５に対してクリック感を持って押し込む。
【０１２９】
そして、トリガーレバー３７の２段階目の操作を行ったときに、連結棒４０を連結した摺動用筒体３４は、この鍔部３４ｄがソケット本体２１の摺動用筒体ストッパ鍔部２１ｅに当接しているために、摺動用筒体３４はソケット本体２１の後方側に移動できない。
【０１３０】
一方、摺動用筒体３４の鍔部３４ｄには、連結棒４０の長さを維持しようとする反力が加わり、この反力は摺動用筒体３４の鍔部３４ｄに連結した連結棒４０の一端側からトリガーレバー３７に連結した連結棒４０の他端側に伝達されて、リガーレバー３７を経て把持体３６に伝わる。
【０１３１】
更に、把持体３６に伝わった反力は、把持体３６と一体な流通路連結用筒体３１を経てノズル収納用筒体２８に伝わるので、ノズル収納用筒体２８は連結棒４０の長さを維持しようと第３の圧縮バネ２７に抗してソケット本体２１の中間部丸孔２１ｈ内の前方側に移動することで、トリガーレバー３７は２段階目のストローク分Ｓ２だけ移動できる。
【０１３２】
そして、ノズル収納用筒体２８がソケット本体２１内の前方側に移動すると、ノズル収納用筒体２８内に収納されたソケット側ノズル２３の先端軸部２３ａでプラグ本体１１内に収納されたプラグ側ノズル１２のテーパ状先端鍔部１２ａを押しながらソケット側ノズル２３の中間軸部２３ｃの後端が第２の圧縮バネ２６の付勢力に抗してソケット側ノズル軸受２５に当接することにより、ソケット側ノズル２３のテーパ状中間鍔部２３ｂとノズル収納用筒体２８のテーパ状内面２８ｅ１との間に気体又は液体を通す隙間が生じる。
【０１３３】
これと略同時に、ソケット側ノズル２３により押されたプラグ側ノズル１２の中間軸部１２ｂの後端が第１の圧縮バネ１５の付勢力に抗してプラグ側ノズル軸受１４に当接することにより、プラグ側ノズル１２のテーパ状先端鍔部１２ａとプラグ本体１１のテーパ状内面１１ｄ１との間に気体又は液体を通す隙間が生じる。
【０１３４】
これにより、プラグ１０にソケット２０Ｂを確実にロックした後に、トリガーレバー３７の２段階目の操作によりプラグ側ノズル１２及びソケット側ノズル２３が共に開くために、プラグ１０にソケット２０Ｂを係止させるまでの間では気体又は液体の漏れがなく、且つ、プラグ１０にソケット２０Ｂを係止させた後に気体又は液体をソケット２０Ｂからプラグ１０に確実に通すことができる。
【０１３５】
更に、ノズル収納用筒体２８をソケット本体１１内の前方側に移動させる駆動源としては連結棒４０のみであるのでソケット２０Ｂの構造が簡単である。
【０１３６】
従って、プラグ１０にソケット２０Ｂを片手操作により信頼性良く連結できる実施の形態２の管継手１Ｂ及びソケット２０Ｂを提供できる。
【０１３７】
尚、本発明に係るトリガーレバー付きのソケットでは、実施の形態１，２に限定されることなく、プラグは気体又は液体を通す開閉可能な第１のノズルと、ソケット被係止手段とを有し、ソケットは、気体又は液体を通す開閉可能な第２のノズルと、プラグ係止手段と、片手で把持できる把持体と、片手で２段階操作可能なトリガーレバーとを有した上で、トリガーレバーの初期状態でプラグにソケットを連結した後に、トリガーレバーの１段階目の操作によりソケットのプラグ係止手段を作動して、このプラグ係止手段をプラグのソケット被係止手段に係止させ、その後、トリガーレバーの２段階目の操作で第１，第２のノズルを開くことができる構造であれば良いものである。
【実施の形態３】
【０１３８】
図１３は本発明に係る実施の形態３のソケット先頭部品の全体構成を示した斜視図であり、（ａ）はソケット先頭部品を実施の形態１に適用する場合を示し、（ｂ）はソケット先頭部品を実施の形態２に適用する場合を示している。また、図１４は実施の形態３のソケット先頭部品を拡大して示した縦断面図である。
【０１３９】
図１３（ａ），（ｂ）に示した実施の形態３のソケット先頭部品２０Ｃは、先に説明した実施の形態１，２のソケット２０Ａ，２０Ｂの構成と一部を除いて同様の構成であり、ここでは説明の便宜上、先に示した構成部材に対しては同一の符号を付し、且つ、先に示した構成部材は必要に応じて適宜説明し、実施の形態１，２に対して異なる構成部材に新たな符号を付して異なる点を中心にして説明する。
【０１４０】
図１３（ａ），（ｂ）及び図１４に示す如く、実施の形態３のソケット先頭部品２０Ｃは、先に説明した実施の形態１，２のソケット２０Ａ，２０Ｂに対して各ソケット２０Ａ，２０Ｂの先頭部分（先頭部品）を交換可能に構成したものである。
【０１４１】
即ち、先に説明した実施の形態１，２のソケット２０Ａ，２０Ｂでは、ソケット本体２１の中間部丸孔２１ｈ内に移動可能に設けたノズル収納用筒体２８内に収納されたソケット側ノズル（第２のノズル）２３や、ソケット本体２１内に嵌め込んだＯリング２９，３３や、ソケット本体２１に形成した複数の長孔２１ｇ内に遊嵌させた各ボール２２に係合する摺動用筒体３４などは、長期間使用していると耐久性が劣化する場合があり、この場合にソケット２０Ａ，２０Ｂ全体を交換すると高価になってしまうので、ソケット２０Ａ，２０Ｂの先頭部分（先頭部品）だけを交換すれば安価となる。
【０１４２】
そこで、図１３（ａ）に示したように、実施の形態３のソケット先頭部品２０Ｃを実施の形態１のソケット２０Ａに適用する場合には、サービス時に先に図１に示した摺動用筒体３４の鍔部３４ｅから連結棒４０と２本のピストン５５とを取り外し、且つ、流通路連結用筒体３１側も取り外して、新品のソケット先頭部品２０Ｃに交換し、交換後に取り外した各部材を再度連結させれば良い。
【０１４３】
一方、図１３（ｂ）に示したように、実施の形態３のソケット先頭部品２０Ｃを実施の形態２のソケット２０Ｂに適用する場合には、サービス時に先に図８に示した摺動用筒体３４の鍔部３４ｅから連結棒４０を取り外し、且つ、流通路連結用筒体３１側も取り外して、新品のソケット先頭部品２０Ｃに交換し、交換後に取り外した各部材を再度連結させれば良い。
【０１４４】
この際、図１４に示す如く、実施の形態３のソケット先頭部品２０Ｃでは、ソケット本体２１の中間部丸孔２１ｈ内に移動可能に設けたノズル収納用筒体２８が、第３の圧縮バネ２７に押されてソケット本体２１内の後方側から抜け出ないように抜け防止手段を施している。
【０１４５】
上記した抜け防止手段としては、ソケット本体２１の後端側外周部２１ｄの下方部位に抜け防止用長孔２１ｄ１をノズル収納用筒体２８の移動量に対して少し余裕を持った長さで貫通して形成し、この抜け防止用長孔２１ｄ１からノズル収納用筒体２８の後端側外周部２８ｄに向けて抜け防止ピン６０を後端側丸孔２８ｆ内に突出しないように圧入している。
【０１４６】
従って、実施の形態３のソケット先頭部品２０Ｃは、ソケット本体２１と、ソケット本体２１に形成した複数の長孔２１ｇ内にそれぞれ１個ずつ遊嵌された複数のボール２２と、ソケット本体２１内を移動可能に設けられてソケット側ノズル（第２のノズル）２３を収納したノズル収納用筒体２８と、ソケット本体２１の後端側外周部２１ｄに沿って軸方向に摺動可能に設けられた摺動用筒体３４とが実施の形態１，２と同じ構成であるが、ノズル収納用筒体２８がソケット本体２１内から抜け出るのを防止する抜け防止手段としてソケット本体２１の抜け防止用長孔２１ｄ１及び抜け防止ピン６０を追加している。
【０１４７】
尚、摺動用筒体３４は、先端側丸孔３４ｅの内面に形成したテーパ付き凹溝（第２の凹溝）３４ｅ１内にソケット本体２１に形成した複数の長孔２１ｇ内に遊嵌している各ボール２２が係合することで抜け防止を図ることができる。
【０１４８】
これにより、実施の形態３のソケット先頭部品２０Ｃによれば、実施の形態１，２のソケット２０Ａ，２０Ｂ内で先頭側に設けたいくつかの部材の耐久性が劣化した場合に安価に先頭側（先頭部品）だけを交換することができる。
【０１４９】
尚、実施の形態３で追加したノズル収納用筒体２８がソケット本体２１内から抜け出るのを防止する抜け防止手段を、実施の形態１，２のソケット２０Ａ，２０Ｂに適用すれば、ソケット２０Ａ，２０Ｂの先頭部以外の部材を組み立てる時に組み立て作業を向上させることができる。
【符号の説明】
【０１５０】
１Ａ…実施の形態１における管継手、１Ｂ…実施の形態２における管継手、
１０…雄型のプラグ、
１１…プラグ本体、１１ａ…先端部、１１ｂ…後端部、
１１ｃ…先端側外周部、１１ｃ１…鍔部、１１ｃ２…第１の凹溝（テーパ付き凹溝）、
１１ｄ…第１の流通路（プラグ側流通路）、１１ｄ１…テーパ状内面、
１２…第１のノズル（プラグ側ノズル）、１２ａ…テーパ状先端鍔部、
１２ｂ…中間軸部、１２ｃ…後端軸部、
１３…第１の軸受支持部材、１４…ソケット側ノズル軸受、
１５…第１の圧縮バネ、
２０Ａ…実施の形態１のトリガーレバー付のソケット、
２０Ｂ…実施の形態２のトリガーレバー付のソケット、
２０Ｃ…実施の形態３のソケット先頭部品、
２１…ソケット本体、２１ａ…先端部、２１ｂ…後端部、
２１ｃ…先端側外周部、２１ｄ…後端側外周部、２１ｄ１…抜け防止用長孔、
２１ｅ…摺動用筒体ストッパ鍔部、
２１ｆ…先端側丸孔、２１ｇ…複数の長孔、
２１ｈ…第２の流通路（中間部丸孔）、２１ｉ…後端側丸孔、２２…ボール、
２３…第２のノズル（ソケット側ノズル）、２３ａ…先端軸部、
２３ｂ…テーパ状中間鍔部、２３ｃ…中間軸部、２３ｄ…後端軸部、
２４…第２の軸受支持部材、２５…ソケット側ノズル軸受、
２６…第２の圧縮バネ、２７…第３の圧縮バネ、
２８…ノズル収納用筒体、２８ａ…先端部、２８ｂ…後端部、２８ｃ…先端側外周部、
２８ｄ…後端側外周部、２８ｅ…第３の流通路（プラグ側流通路）、
２８ｅ１…テーパ状内面、２８ｆ…後端側丸孔、
２９…Ｏリング、３０…シール部材、
３１…流通路連結用筒体、３１ａ…円環状先端外周部、
３１ｂ…角形状外周部、３１ｃ…流通路、３１ｄ…突出片、
３２…ホース、３０…Ｏリング、
３４…摺動用筒体、３４ａ…先端部、３４ｂ…後端部、３４ｃ…外周部、
３４ｄ…鍔部、３４ｅ…先端側丸孔、３４ｅ１…第２の凹溝（テーパ付き凹溝）、
３４ｆ…後端側丸孔、
３５…第４の圧縮バネ、
３６…把持体、３６ａ…先端部、３６ｂ…後端部、
３７…トリガーレバー、３８…ピン、３９…ノブ付きスイッチ、
４０…連結棒、４１…ピン、４２…ピン、４５…ノブ、
５０…摺動用筒体駆動手段、
５１…エアーホース、５２…二股パイプ、５３…パイプ、
５４…エアーシリンダ、５５…ピストン、５６…ナット、
６０…抜け防止ピン、
Ｂ…ボンベ、Ｔ…タンク、ＰＳ…プラグ支持部材。
【図１】
2013091505.tif 000003
【図２】
2013091505.tif 000004
【図３】
2013091505.tif 000005
【図４】
2013091505.tif 000006
【図５】
2013091505.tif 000007
【図６】
2013091505.tif 000008
【図７】
2013091505.tif 000009
【図８】
2013091505.tif 000010
【図９】
2013091505.tif 000011
【図１０】
2013091505.tif 000012
【図１１】
2013091505.tif 000013
【図１２】
2013091505.tif 000014
【図１３】
2013091505.tif 000015
【図１４】
2013091505.tif 000016